(57)【特許請求の範囲】
【請求項１】
吸込口および吹出口を有する筺体と、
羽根車と、
前記羽根車を回転駆動する駆動源と、
前記吸込口に連通する入口部と前記吹出口に連通する出口部とが設けられた中空の形状を有し、前記羽根車が生成した流れによって、前記吸込口からの流体が前記入口部を通して内部に供給され、前記内部に供給された前記流体が前記出口部を通して排出される、旋回室と、
前記筺体の前記吸込口と前記旋回室の前記入口部との間に設けられ、前記旋回室に供給される前記流体が前記旋回室の前記内部で旋回するように前記流体の流れを変える旋回流生成部と、
前記旋回室の前記内部に配置された浮遊体と、を備え、
前記浮遊体は、前記旋回室の前記内部で旋回する前記流体により吹き上げられることで前記旋回室の前記内部で浮遊しながら旋回し、
前記内部で浮遊している前記浮遊体を前記旋回室の外部から視認可能なように、前記旋回室は透明性を有する部材から形成されている、
流体送り装置。
【請求項２】
前記筺体には、載置面が設けられており、
当該流体送り装置は、前記載置面が鉛直方向における下になるように、前記筺体を水平な表面上に載置した状態で使用可能であり、
前記載置面が鉛直方向における下になるように、前記筺体を前記水平な表面上に載置した状態においては、前記旋回室の前記内部は前記旋回室の前記入口部の上側に位置し、かつ、前記旋回室の前記出口部は前記旋回室の前記内部の上側に位置する、
請求項１に記載の流体送り装置。
【請求項３】
前記浮遊体の表面は、多孔質構造、繊維構造または凹凸構造を有しており、
前記旋回室を形成している前記部材の内表面に前記浮遊体が摺接することで、前記内表面に付着している付着物は前記内表面から除去される、
請求項１または２に記載の流体送り装置。
【請求項４】
前記筺体に対して着脱可能な回収ケースをさらに備え、
前記載置面が鉛直方向における下になるように、前記筺体を前記水平な表面上に載置した状態においては、前記回収ケースの高さ位置は、前記旋回室の前記内部の高さ位置よりも上であり、
前記載置面を前記筺体に対して鉛直方向における上にしたとき、前記浮遊体は前記回収ケースの中に配置される、
請求項２に記載の流体送り装置。
【請求項５】
前記筺体は、全体として、中央がくびれた円筒状の形状を有しており、
前記筺体の軸方向における一端部に前記吸込口が設けられ、
前記筺体の軸方向における他端部に前記吹出口が設けられ、
前記筺体の軸方向における中央に前記旋回流生成部が設けられている、
請求項１から４のいずれか１項に記載の流体送り装置。
【発明の詳細な説明】
【技術分野】
【０００１】
本発明は、流体送り装置に関する。
【背景技術】
【０００２】
一般的な流体送り装置は、筺体、羽根車および駆動源を備え、筺体の内部に羽根車および駆動源が配置されている。流体が気体である場合、空気などの気体を送るために、プロペラファンやターボファンが羽根車として用いられる。流体が液体である場合、水などの液体を送るために、スクリューやインペラーなどが羽根車として用いられる。流体送り装置は、流体（気体および／または液体）とともに、固体を送る場合もある。
【０００３】
流体送り装置が流体とともに固体を送る場合、流体は、たとえば固気二層流の状態（たとえば砂煙のような、空気の中に微細な固形物を含ませたものの状態）を形成する。流体送り装置の例としては、エアコン室内機、エアコン室外機、空気清浄機、イオン発生器、加湿器、扇風機、換気扇、掃除機、および集塵装置などが挙げられる。ポンプや遠心分離機なども、流体送り装置である。即ち、ここでいう流体送り装置とは、流体を送ることで何らかの機能を発揮することができる装置の総称である。
【０００４】
流体送り装置に対し、幾つかの要望がある。たとえば、流体送り装置が、流体を滞りなく正常に送り出すことができているかどうかを確認したいという要望や、流体送り装置が送り出している流量を知りたいという要望である。これらの要望に応えるためには、各種のセンサーやＬＥＤなどを用いることができる。たとえば、センサーとして熱線流速計を用いて風速を検知することで、流量を算出できる。センサーとしてピトー管を用いて動圧と静圧とを求めて風速を検知することでも、流量を算出できる。流体内に風車を設置し、風車の回転数から流量を算出することもできる。流量や流体に関する情報は、ＬＥＤや液晶表示器などによって表示される。
【０００５】
特開２００４−２５１７９３号公報（特許文献１）は、液体や気体等の流体の流動、流れを目視確認するための、流量インジケータに関する発明を開示している。この流量インジケータは、外筒管と、外筒管の内部に設けられた回転体とを備え、回転体には、単色または複数色の認識マークが設けられている。同公報は、流体の流動や流量を、認識マークとして（回転体の回転として）目視確認できると述べている。
【先行技術文献】
【特許文献】
【０００６】
【特許文献１】特開２００４−２５１７９３号公報
【発明の概要】
【発明が解決しようとする課題】
【０００７】
流体を正常に送り出すことができているかどうかを確認するという目的や、流量を確認するという目的を実現するために、電気的なセンサーやＬＥＤを用いたとする。その場合には、流体送り装置を製造するための費用や、メンテナンスのための手間や費用が増大する可能性がある。
【０００８】
本発明は、流体を送り出すことができているかどうかを確認したり、送り出している流量を確認したりすることを簡素な構成にて実現可能な構成を備えた流体送り装置を提供することを目的とする。
【課題を解決するための手段】
【０００９】
本発明に基づく流体送り装置は、吸込口および吹出口を有する筺体と、羽根車と、上記羽根車を回転駆動する駆動源と、上記吸込口に連通する入口部と上記吹出口に連通する出口部とが設けられた中空の形状を有し、上記羽根車が生成した流れによって、上記吸込口からの流体が上記入口部を通して内部に供給され、上記内部に供給された上記流体が上記出口部を通して排出される、旋回室と、上記筺体の上記吸込口と上記旋回室の上記入口部との間に設けられ、上記旋回室に供給される上記流体が上記旋回室の上記内部で旋回するように上記流体の流れを変える旋回流生成部と、上記旋回室の上記内部に配置された浮遊体と、を備え、上記浮遊体は、上記旋回室の上記内部で旋回する上記流体により吹き上げられることで上記旋回室の上記内部で浮遊しながら旋回し、上記内部で浮遊している上記浮遊体を上記旋回室の外部から視認可能なように、上記旋回室は透明性を有する部材から形成されている。
【００１０】
上記流体送り装置において好ましくは、上記筺体には、載置面が設けられており、当該流体送り装置は、上記載置面が鉛直方向における下になるように、上記筺体を水平な表面上に載置した状態で使用可能であり、上記載置面が鉛直方向における下になるように、上記筺体を上記水平な表面上に載置した状態においては、上記旋回室の上記内部は上記旋回室の上記入口部の上側に位置し、かつ、上記旋回室の上記出口部は上記旋回室の上記内部の上側に位置する。
【００１１】
上記流体送り装置において好ましくは、上記浮遊体の表面は、多孔質構造、繊維構造または凹凸構造を有しており、上記旋回室を形成している上記部材の内表面に上記浮遊体が摺接することで、上記内表面に付着している付着物は上記内表面から除去される。
【００１２】
上記流体送り装置において好ましくは、上記筺体に対して着脱可能な回収ケースをさらに備え、上記載置面が鉛直方向における下になるように、上記筺体を上記水平な表面上に載置した状態においては、上記回収ケースの高さ位置は、上記旋回室の上記内部の高さ位置よりも上であり、上記載置面を上記筺体に対して鉛直方向における上にしたとき、上記浮遊体は上記回収ケースの中に配置される。
【００１３】
上記流体送り装置において好ましくは、上記筺体は、全体として、中央がくびれた円筒状の形状を有しており、上記筺体の軸方向における一端部に上記吸込口が設けられ、上記筺体の軸方向における他端部に上記吹出口が設けられ、上記筺体の軸方向における中央に上記旋回流生成部が設けられている。
【発明の効果】
【００１４】
上記の構成によれば、流体を送り出すことができているかどうかを確認したり、送り出している流量を確認したりすることを簡素な構成にて実現可能な構成を備えた流体送り装置を提供することができる。
【図面の簡単な説明】
【００１５】
【図１】実施の形態１における流体送り装置１を示す正面図である。
【図２】実施の形態１における流体送り装置１の正面および上面を示す斜視図である。
【図３】実施の形態１における流体送り装置１の縦断面構成を示す断面図である。
【図４】実施の形態１における流体送り装置１の縦断面構成を示す断面斜視図である。
【図５】実施の形態１における流体送り装置１に備えられる構成体１６の底面および外周面を示す斜視図である。
【図６】図５に示す構成体１６から集塵ケース２６を取り外した状態を示す斜視図である。
【図７】図５に示す構成体１６から集塵ケース２６および回収ケース２７を取り外した状態を示す斜視図である。
【図８】実施の形態１における流体送り装置１を示す他の断面図である。
【図９】実施の形態１における流体送り装置１の縦断面構成を示す他の正面図である。
【図１０】実施の形態１における流体送り装置１の旋回室２３を模式的に示す図である。
【図１１】実施の形態１における流体送り装置１の旋回室２３を模式的に示す他の図である。
【図１２】実施の形態１における流体送り装置１が部屋４０の中に配置された様子を示す模式的に示す他の図である。
【図１３】実施の形態１の変形例における流体送り装置１が部屋４０の中に配置された様子を示す模式的に示す他の図である。
【図１４】実施の形態２における流体送り装置の旋回室２３を模式的に示す図である。
【図１５】実施の形態２における流体送り装置に適用可能な浮遊体の第一構成例を示す斜視図である。
【図１６】実施の形態２における流体送り装置に適用可能な浮遊体の第二構成例を示す斜視図である。
【図１７】実施の形態２における流体送り装置に適用可能な浮遊体の第三構成例を示す斜視図である。
【図１８】実施の形態３における流体送り装置を模式的に示す図である。
【図１９】従来のアロマディフューザ（実施の形態３の比較例）を模式的に示す図である。
【図２０】実施の形態４における流体送り装置１Ａを模式的に示す図である。
【図２１】実施の形態４における流体送り装置１Ａの動作している様子を模式的に示す図である。
【図２２】実施の形態５における流体送り装置１Ｂを模式的に示す図である。
【図２３】実施の形態５における流体送り装置１Ｂの動作している様子を模式的に示す図である。
【図２４】実施の形態５の変形例における流体送り装置１Ｃの動作している様子を模式的に示す図である。
【図２５】実施の形態６における流体送り装置１Ｄの動作している様子を模式的に示す図である。
【図２６】実施の形態６の変形例における流体送り装置１Ｄの動作している様子を模式的に示す図である。
【発明を実施するための形態】
【００１６】
実施の形態について、以下、図面を参照しながら説明する。同一の部品および相当部品には同一の参照番号を付し、重複する説明は繰り返さない場合がある。
【００１７】
［実施の形態１］
図１〜図４を参照して、実施の形態１における流体送り装置１の全体構成について説明する。図１は、流体送り装置１を示す正面図である。図２は、流体送り装置１の正面および上面を示す斜視図である。図３および図４は、それぞれ、流体送り装置１の縦断面構成を示す断面図および断面斜視図である。
【００１８】
流体送り装置１は、たとえば、居室の床、机、家具の棚、壁面、天井面など、各種の設置面上に設置することができる。流体送り装置１は、吸込口１２から筺体１０の内部へ空気を吸引するとともに、吸引した空気を吹出口１７から外部に吹き出すことができる。具体的には、流体送り装置１は、筺体１０、羽根車２１（図３，図４）、駆動源２２（図３，図４）、旋回室２３、旋回流生成部２４、および浮遊体２５を備える。
【００１９】
（筺体１０）
筺体１０は、全体として、中央がくびれた円筒状の形状を有している。本実施の形態の筺体１０は、底部１１、吸込口１２、下筒部１３、中筒部１４、上筒部１５、構成体１６、吹出口１７、および頭部１８を含んでいる。詳細は後述するが、筺体１０の軸方向における一端部に吸込口１２が設けられ、筺体１０の軸方向における他端部に吹出口１７が設けられている。
【００２０】
筺体１０の軸方向における中央（中筒部１４の内側）に、旋回流生成部２４が設けられている。流体送り装置１を水平な表面３０（図１，図３）上に載置した状態においては、旋回流生成部２４の高さ位置は、筺体１０の吸込口１２の高さ位置と同等かそれよりも上であり、かつ、旋回室２３の入口部２３ａの高さ位置は、旋回流生成部２４の高さ位置と同等かそれよりも上であればよい。本実施の形態においては、水平な表面３０に近い側から順に、吸込口１２、旋回流生成部２４、旋回室２３、羽根車２１、および吹出口１７が位置している。
【００２１】
底部１１は、円盤部１１ａおよび筒状壁１１ｂ（図３，図４）を含む。筒状壁１１ｂは、円盤部１１ａの上面から起立するように設けられており、円盤部１１ａの下面は、載置面１１ｓを形成している。流体送り装置１は、任意の箇所に設置して使用することができる。流体送り装置１は、たとえば、載置面１ｓが鉛直方向における下になるように、筺体１０を水平な表面３０（図１，図３）上に載置した状態で使用可能である。
【００２２】
下筒部１３は、下端部１３ｔから上端部（中筒部１４が位置している側の端部）に向かうにつれて、徐々に径が小さくなるテーパー形状を有している。下端部１３ｔの内側には、径方向に延びる複数のリブ１３ｒ（図４）が設けられている。下筒部１３の下端部１３ｔは、複数のリブ１３ｒを介して、筒状壁１１ｂの外周面に接続されている。
【００２３】
筺体１０の軸方向における一端部に、吸込口１２が設けられている。吸込口１２の開口円の高さ位置は、たとえば水平な表面３０から５ｃｍである。本実施の形態においては、底部１１の円盤部１１ａの上面と、筒状壁１１ｂ（図３，図４）の外周面と、下筒部１３の下端部１３ｔと、リブ１３ｒとによって囲まれた部分に、吸込口１２が形成されている。吸込口１２は、略全周（３６０°）に亘って開口しており、下筒部１３の内側空間は、この吸込口１２を介して外部に連通している。吸込口１２は、略全周から吸い込みが可能であり、床等に埃が堆積することを効果的に抑制することができる。
【００２４】
載置面１１ｓが鉛直方向における下になるように、筺体１０を水平な表面３０上に載置した状態においては、下筒部１３（筺体１０のうちの吸込口１２を形成している部材の１つ）の下端部１３ｔ（延在している部分）は、鉛直方向における上方から下方に向かってまっすぐ下に延在しており、且つ、下筒部１３は、この下端部１３ｔの先端近傍に、吸込口１２の開口部を形成している。当該構成によれば、吸込口１２の周囲に存在し吸込口１２から吸引される空気や塵埃は、吸引後直ちに、または吸引直前から、上方向の空気力を受けることとなる。
【００２５】
上記の構成に限られず、下筒部１３（筺体１０のうちの吸込口１２を形成している部材）の下端部１３ｔ（延在している部分）は、鉛直方向における上方から下方に向かって斜め下に延在していても構わない。この場合、下筒部１３の下端部１３ｔは、上方から下方に向かうにつれて徐々に径が大きくなるテーパー形状を有していることが好ましい。当該構成によっても、吸込口１２の周囲に存在し吸込口１２から吸引される塵埃は、吸引後直ちに、または吸引直前から、上方向の空気力を受けることとなる。
【００２６】
中筒部１４は、下筒部１３と上筒部１５との間に位置する。旋回流生成部２４は、中筒部１４の内側に固定配置されている。旋回流生成部２４は、プロペラファンの形状を有しており、翼部分の下流端は、ファンの中心軸方向に対しておおよそ垂直な向きを向いている。旋回流生成部２４は、下筒部１３から上筒部１５に向かって流れる流体の流れを変える。旋回流生成部２４を通過した流体は、旋回流を形成することになる（図８参照）。
【００２７】
上筒部１５は、下端部（中筒部１４が位置している側の端部）から上端部（構成体１６が位置している側の端部）に向かうにつれて、徐々に径が大きくなるテーパー形状を有している。上筒部１５の内側に、旋回室２３が形成される。旋回室２３は、吸込口１２に連通する入口部２３ａと、吹出口１７に連通する出口部２３ｂとが設けられた、中空の形状を有している。
【００２８】
載置面１１ｓが鉛直方向における下になるように筺体１０を水平な表面３０上に載置した状態においては、旋回室２３の内部２３ｓは旋回室２３の入口部２３ａの上側に位置し、かつ、旋回室２３の出口部２３ｂは旋回室２３の内部２３ｓの上側に位置する。羽根車２１が生成した流れによって、吸込口１２からの流体は、入口部２３ａを通して旋回室２３の内部２３ｓに供給される。旋回室２３の内部２３ｓに供給された流体は、出口部２３ｂを通して旋回室２３の外部に排出される。
【００２９】
（浮遊体２５）
浮遊体２５は、旋回室２３の内部２３ｓに配置される。浮遊体２５は、略球形状を呈しており、たとえば、コットン、ウレタン、マイクロファイバー等により構成されている。旋回室２３の内部２３ｓには、１個の浮遊体２５が収容されていてもよいし、複数の浮遊体２５が収容されていてもよい。浮遊体２５の動きは、流体送り装置１が流体を送り出すことができているかどうかを確認したり、流体送り装置１が送り出している流量を確認したりすることの指標となり得る。浮遊体２５の数や色は、使用者の好み、流体送り装置１の用途（浮遊体２５の目的）に応じて最適化可能である。
【００３０】
旋回流生成部２４は、筺体１０の吸込口１２と旋回室２３の入口部２３ａとの間に設けられており、旋回室２３に供給される流体が旋回室２３の内部で旋回するように流体の流れを変える。浮遊体２５は、旋回室２３の内部２３ｓで旋回する流体により吹き上げられることで、旋回室２３の内部２３ｓで浮遊しながら旋回することとなる（図８参照）。
【００３１】
本実施の形態の旋回室２３は、内部２３ｓで浮遊している浮遊体２５を旋回室２３の外部から視認可能なように、透明性を有する部材（上筒部１５）から形成されている。透明性を有する部材とは、光が通過することが可能な材質で形成された部材である（たとえばアクリルなど）。旋回室２３の内部２３ｓで浮遊している浮遊体２５を旋回室２３の外部から視認可能でさえあれば、透過率は多少低くても構わない（磨りガラスや乳白色プラスティック等）。
【００３２】
構成体１６は、上筒部１５の端部（中筒部１４が位置している側とは反対側の端部）に設けられる。図５は、構成体１６の底面および外周面を示す斜視図である。図６は、図５に示す構成体１６から集塵ケース２６を取り外した状態を示す斜視図である。図７は、図５に示す構成体１６から集塵ケース２６および回収ケース２７を取り外した状態を示す斜視図である。
【００３３】
図３〜図７に示すように、構成体１６は、外周部１６ａ、収容部１６ｂ（図３，図４）、底板部１６ｃ、底窓部１６ｄ、および上端部１６ｔを有する。外周部１６ａは、筒状に形成され、下端部（底板部１６ｃが位置している側の端部）から上端部１６ｔに向かうにつれて、徐々に径が大きくなるテーパー形状を有している。
【００３４】
収容部１６ｂは、外周部１６ａの内側に配置される。収容部１６ｂも、筒状に形成され、下端部（底窓部１６ｄが位置している側の端部）から上端部１６ｔに向かうにつれて、徐々に径が大きくなるテーパー形状を有している。テーパーの程度は、収容部１６ｂの方が、外周部１６ａに比べて大きい。換言すると、外周部１６ａの傾きの方が、収容部１６ｂの傾きに比べて緩やかである。収容部１６ｂの内側に、羽根車２１が配置される。本実施の形態の羽根車２１は、ターボファンから構成される。
【００３５】
底板部１６ｃは、半円の形状を有し（図５〜図７参照）、外周部１６ａの下端側に位置する開口の略半分を覆っている。底窓部１６ｄは、複数の棒状部材が互いの間に間隔を空けるように環状に並べられ、且つそれらの複数の棒状部材が全体として円錐を形成するように配置されることで構成されている。旋回室２３は、底窓部１６ｄ（隣り合う棒状部材の間に形成された隙間）を通して収容部１６ｂの内側空間に連通している。
【００３６】
頭部１８は、円盤部１８ａ、収容部１８ｂ、筒状壁１１ｃ（図３，図４）を含む。収容部１８ｂおよび筒状壁１８ｃは、円盤部１８ａの下面から垂れ下がるように設けられており、円盤部１８ａの上面は、天面１８ｓを形成している。収容部１８ｂは、駆動源２２を収容しており、駆動源２２の出力軸は、旋回室２３の中心軸と一致している（同一直線上に位置している）。駆動源２２の出力軸に、羽根車２１が取り付けられている。駆動源２２（ファンモータ）は、羽根車２１を回転駆動することができる。
【００３７】
構成体１６の上端部１６ｔの内側には、径方向に延びる複数のリブ１６ｒ（図２）が設けられている。構成体１６（外周部１６ａ）の上端部１６ｔは、複数のリブ１６ｒを介して、筒状壁１８ｃの外周面に接続されている。筺体１０の軸方向における他端部に、吹出口１７が設けられている。本実施の形態においては、頭部１８の円盤部１８ａの下面と、筒状壁１８ｃ（図３，図４）の外周面と、構成体１６の上端部１６ｔと、リブ１６ｒ（図２）とによって囲まれた部分に、吹出口１７が形成されている。吹出口１７は、略全周（３６０°）に亘って開口しており、収容部１６ｂの内側空間は、この吹出口１７を介して外部に連通している。
【００３８】
載置面１１ｓが鉛直方向における下になるように、筺体１０を水平な表面３０上に載置した状態においては、外周部１６ａ（筺体１０のうちの吹出口１７を形成している部材の１つ）の上端部１６ｔ（延在している部分）は、鉛直方向における下方から上方に向かってまっすぐ上に延在しており、且つ、構成体１６の外周部１６ａは、この上端部１６ｔの先端近傍に、吹出口１７の開口部を形成している。さらに、頭部１８の円盤部１８ａは、水平な方向に延在している。当該構成によれば、空気は吹出口１７から略水平方向に吹き出されることになる。
【００３９】
上記の構成に限られず、外周部１６ａ（筺体１０のうちの吹出口１７を形成している部材）の上端部１６ｔ（延在している部分）は、鉛直方向における下方から上方に向かって斜め上に延在していても構わない。この場合、構成体１６の上端部１６ｔは、下方から上方に向かうにつれて徐々に径が大きくなるテーパー形状を有していることが好ましい。当該構成によっても、頭部１８の円盤部１８ａが水平な方向に延在していることで、空気は吹出口１７から略水平方向に吹き出されることになる。
【００４０】
（集塵ケース２６および回収ケース２７）
筺体１０の構成体１６は、集塵ケース２６および回収ケース２７を着脱可能に受け入れ可能な切り欠きを有している（図５〜図７参照）。集塵ケース２６および回収ケース２７が構成体１６に取り付けられた状態において、旋回室２３は、底窓部１６ｄを通して収容部１６ｂの内側空間に連通している。
【００４１】
図６を参照して、集塵ケース２６は、開口部２６ｓ、集塵室２６ｔおよび切欠部２６ｕを有している。集塵ケース２６の外表面２６ｖは、集塵ケース２６が構成体１６（筺体１０）に取り付けられている状態で、筺体１０の外表面（および回収ケース２７の外表面２７ｖ）と面一の関係となるように設けられている（図１〜図４等参照）。
【００４２】
図６および図７を参照して、回収ケース２７は、開口部２７ｓおよび回収室２７ｔを有している。回収ケース２７の外表面２７ｖは、回収ケース２７が構成体１６（筺体１０）に取り付けられている状態で、筺体１０の外表面（および集塵ケース２６の外表面２６ｖ）と面一の関係となるように設けられている（図１〜図４等参照）。
【００４３】
図５〜図７を参照して、集塵ケース２６および回収ケース２７が構成体１６（筺体１０）に取り付けられている状態で、旋回室２３の内部２３ｓは、集塵ケース２６の開口部２６ｓを通して、集塵ケース２６の集塵室２６ｔに連通している。さらに、旋回室２３の内部２３ｓは、集塵ケース２６の開口部２６ｓおよび切欠部２６ｕ、ならびに回収ケース２７の開口部２７ｓを通して、回収ケース２７の回収室２７ｔ（図７）に連通している。
【００４４】
載置面１１ｓが鉛直方向における下になるように、筺体１０を水平な表面３０上に載置した状態においては、集塵ケース２６および回収ケース２７の高さ位置は、旋回室２３の内部２３ｓの高さ位置よりも上である。載置面１１ｓを筺体１０に対して鉛直方向における上にしたとき（すなわち流体送り装置１をひっくり返したとき）、浮遊体２５は重力の作用によって落下し、回収ケース２７の中に配置される。浮遊体２５を収容した回収ケース２７を筺体１０から取り外すことで、浮遊体２５を洗浄したり、浮遊体２５を交換したりすることができる。
【００４５】
（作用および効果）
図８および図９を参照して、流体送り装置１の吸込口１２は、水平な表面３０の近くに位置している。使用者の操作受付やタイマー動作などによって、流体送り装置１は駆動源２２を作動させ、羽根車２１を回転させる。流体送り装置１は、羽根車２１の駆動により、吸込口１２から塵埃を含む空気を吸引する。
【００４６】
下筒部１３の下端部１３ｔは、鉛直方向における上方から下方に向かってまっすぐ下に延在しており、且つ、下筒部１３は、この下端部１３ｔの先端近傍に吸込口１２の開口部を形成している。吸込口１２の周囲に存在していた、吸込口１２から吸引される空気や塵埃は、吸引後直ちに、または吸引直前から、上方向の空気力を受けることとなる。空気や塵埃は、効率良く吸込口１２から下筒部１３の中へと吸引されることとなる。
【００４７】
下筒部１３の中に吸い込まれた空気は、上昇移動し、やがて旋回流生成部２４に到達する。旋回流生成部２４は、塵埃を含む空気をほぼ９０°方向転向させる。旋回流生成部２４を通過した流体は、旋回室２３の内部２３ｓで旋回流を形成する（図８参照）。旋回室２３の内部２３ｓは、円形の断面形状を有しているため、旋回流がスムーズに形成され、高い送風効率を得ることができる。旋回流の作用によって、旋回室２３の内部２３ｓにて、塵埃および空気は、互いに遠心分離される。
【００４８】
本実施の形態の筺体１０は、全体として中央がくびれた円筒状の形状を有しており、筺体１０の軸方向における中央（中筒部１４の内側）に旋回流生成部２４が設けられている。中筒部１４（旋回流生成部２４）は、吸込口１２よりも径方向内側の位置に存在している。流路が中筒部１４において絞られていることで、流体送り装置１は滑らかに空気を吸引できる。
【００４９】
一方、旋回室２３は、中筒部１４の括れ部分よりも大きな流路を有している。流体は、中筒部１４において一端流路が狭くなることで勢いをつけて旋回室２３に進入ことができるため、より強い旋回流が形成され、より強い遠心分離の作用を得ることが可能となる。
【００５０】
空気と分離された塵埃は、集塵ケース２６の開口部２６ｓ（図５参照）を通して、集塵ケース２６の集塵室２６ｔの中に格納されていく。遠心分離できる範囲の塵埃の捕集については、フィルターを別途設置する必要が無い。使用者は、集塵ケース２６を筺体１０から取り外して簡単に掃除するだけで済むため、フィルター掃除などの余分なメンテナンスをする必要もない。
【００５１】
流体送り装置１を集塵装置として使用する場合には、当該集塵装置の流量は、３ｍ３／ｍｉｎ以上であることが好ましい。流量が３ｍ３／ｍｉｎ以上である場合には、流体送り装置１の周辺約１畳空間（３．９ｍ３）の範囲を、壁面のコアンダ効果を利用することによって、常に部屋全体の気流を循環させ、空間を動かすことができるので、塵埃等が堆積することを効果的に防ぐことが可能となる。トイレなどの狭い空間での適用が特に有効である。この場合には、主に壁面を風が通過しているため、使用者に風が届くことはほとんどなく、使用者が風による無駄な冷えや乾燥などを感じることも少ない。
【００５２】
本実施の形態においては、集塵ケース２６は、水平方向に（水平な表面３０に対して平行な方向）に着脱可能に構成される。当該構成は、塵埃が空気から外方向に分離されるという遠心分離の機能を維持しながら、集塵ケース２６の取り出しを容易にしている。使用者は、集塵された塵埃を容易に捨てることができる。
【００５３】
また、集塵ケース２６の外表面２６ｖは、集塵ケース２６が構成体１６（筺体１０）に取り付けられている状態で、筺体１０の外表面（および回収ケース２７の外表面２７ｖ）と面一の関係となるように設けられている。当該構成は、高い意匠性（美観）を発揮し得るものである。
【００５４】
塵埃と分離された空気は、旋回室２３の出口部２３ｂ（底窓部１６ｄ）、羽根車２１（収容部１６ｂの内側空間）、および筺体１０の吹出口１７をこの順に通過して外部に排出される。したがって、塵埃を含む空気は、流体送り装置１に吸い込まれたのちに、塵埃と分離された状態で流体送り装置１の外部へと吹き出されることとなる。
【００５５】
ここで、旋回室２３は、透明性を有する部材（上筒部１５）から形成されている。内部２３ｓで浮遊している浮遊体２５を、旋回室２３の外部から視認（目視）することができる（図９参照）。内部２３ｓで浮遊している浮遊体２５に限られず、旋回流によっては、塵埃が分解される様子や、塵埃が集塵室２６ｔの中に格納されていく様子を見ることも可能である。
【００５６】
本実施の形態においては、構成体１６の収容部１６ｂは、外周部１６ａの内側に配置される。収容部１６ｂも、筒状に形成され、下端部（底窓部１６ｄが位置している側の端部）から上端部１６ｔに向かうにつれて、徐々に径が大きくなるテーパー形状を有している。テーパーの程度は、収容部１６ｂの方が、外周部１６ａに比べて大きい。
【００５７】
すなわち、旋回室２３から収容部１６ｂに繋がる流路は、底窓部１６ｄにおいて一旦狭くなっている。底窓部１６ｄのやや下流部分（上方部分）が、収容部１６ｂの流入部を構成しており、その後、構成体１６は傾斜した面でテーパー状に広がっている。構成体１６は、湾曲した面でテーパー状に広がっていてもよい。これらの構成を採用することで、旋回室２３の外形寸法と収容部１６ｂとの外形寸法をおおよそ揃えることができ、筺体１０の形状を実現可能となる。
【００５８】
図１０を参照して、本実施の形態においては、載置面１１ｓが鉛直方向における下になるように、筺体１０を水平な表面３０上に載置した状態においては、旋回室２３の内部２３ｓは旋回室２３の入口部２３ａの上側に位置し、かつ、旋回室２３の出口部２３ｂは旋回室２３の内部２３ｓの上側に位置する。旋回室２３の内部２３ｓには、浮遊体２５の浮遊旋回の仮想回転軸の軸方向において、浮遊体２５が移動可能な十分なスペースが設けられている。本実施の形態においては、旋回室２３に対して流体を鉛直上向きに流通させており、浮遊体２５の浮遊旋回の仮想回転軸の軸方向は、おおむね鉛直方向に一致している。
【００５９】
たとえば、流体送り装置１に流れている流体の流量によって、浮遊体２５が旋回する軌跡が変わる。小流量の際は、浮遊体２５は旋回室２３の下部で旋回し、大流量の際は、浮遊体２５は旋回室２３の上部で旋回する。これにより、流量も目視確認することができる。あるいは、羽根車２１と収容部１６ｂとの間の流路が詰まるなど、何らかの不具合が生じて流体の流れが滞ると、浮遊体２５が旋回している高さが低くなったり浮遊体２５の旋回が停止したりする。
【００６０】
これらの浮遊体２５の旋回の様子は、外部から容易に視認することができる。したがって、流体送り装置１によれば、流体を送り出すことができているかどうかを確認したり、流体送り装置１が送り出している流量を確認したりすることを、浮遊体２５の旋回の様子という簡素な構成にて実現可能であると言える。
【００６１】
なお、これらの流体の様子を把握するために、センサーとして熱線流速計やピトー管を用いたとする。熱線流速計の場合には、熱線が塵埃により切断する可能性がある。ピトー管の場合には、孔が塵埃により詰まってしまう可能性がある。冒頭で述べた特開２００４−２５１７９３号公報（特許文献１）の場合には、回転体や回転軸に塵埃が付着すると、塵埃は、回転体の回転を妨げる要因となるため、回転体および回転軸の交換や清掃が必要となる。本実施の形態の場合は、浮遊体２５に塵埃が付着したとしても、その浮遊体２５を容易に出し入れでき、浮遊体２５を入れ替えるだけで済む。
【００６２】
流体の様子を把握するために、センサーなど比較的複雑でコストのかかる手法や、特許文献１に開示されている手法を用いたとしても、これらの手法の長期的な維持にはメンテナンスなどが必要となる。本実施の形態の場合は、浮遊体２５の交換は、浮遊体２５を入れ替えるだけで済むため容易であり、メンテナンスも安価に済ますことが可能であると言える。
【００６３】
流体送り装置１にセンサーを搭載し、室内の塵埃の量やにおいなどに関する情報を取得するように構成し、さらに、取得した情報に基づいて流体送り装置１の流量を自動で制御するように構成してもよい。流量の自動制御により、浮遊体２５の旋回高さも制御値に合わせて変動するため、使用者は、どんな作業をしたときに流量が増え、どんな作業をしたときに流量が減っているかを目視で容易に確認することも可能である。
【００６４】
図１１を参照して、浮遊体２５が浮遊旋回する際、浮遊体２５に働く浮力と浮遊体２５に働く重力とは、相反する向きに働く。流体送り装置１の内部を流れている流体の時間的な変化や流体の揺らぎなどにより、浮遊体２５に作用している浮力の大きさも変わり得る。浮力の変化は、浮力と重力との釣り合う位置を変えるため、浮遊体２５は、回転方向に旋回しつつ、軸方向にも揺動することになる。
【００６５】
浮遊体２５は、軸方向に揺動しながら回転方向に旋回するため、旋回室２３を真横から見ると、浮遊体２５は旋回室２３の内部２３ｓで上下左右に動く。浮遊体２５は、左右には正確なサインカーブで動きながら、上下にも概ねサインカーブで動く。このような浮遊体２５の旋回動作によれば、使用者に強い面白さを感受させることを期待できる。
【００６６】
図８および図１２を参照して、塵埃と分離された空気は、筺体１０の吹出口１７を通過して外部に排出される。本実施の形態においては、外周部１６ａ（筺体１０のうちの吹出口１７を形成している部材の１つ）の上端部１６ｔが、鉛直方向における下方から上方に向かってまっすぐ上に延在しており、且つ、構成体１６の外周部１６ａは、この上端部１６ｔの先端近傍に、吹出口１７の開口部を形成している。さらに、頭部１８の円盤部１８ａは、水平な方向に延在している。当該構成によれば、空気は吹出口１７から略水平方向に吹き出されることになる。
【００６７】
吹出口１７は、略全周（３６０°）に亘って開口しており、吹出口１７は、略全周から吹き出しが可能であり、床等に塵埃が堆積することを効果的に抑制することができる。たとえば、流体送り装置１を部屋４０（図１２）の中に配置し、吸込口１２の高さを床面（水平な表面３０）から３０ｃｍ未満に設定するとともに、吹出口１７は略水平方向を向くように構成したとする。
【００６８】
この構成によると、床面（水平な表面３０）の付近に吸込口１２が位置しているため、沈降もしくは静電気等の作用で床面付近に集まって来た塵埃は、床面に到達する直前で吸込口１２から吸引される。したがって、床面への塵埃の付着を抑制することができ、使用者が一般的な掃除機を片手に意識的に塵埃を発見して集めにいくといった機会や必要性が減り、掃除に必要な負担を低減可能となる。塵埃が集まり易い位置に流体送り装置１（吸込口１２）を設けることで、より効率の良い吸引が可能である。
【００６９】
部屋４０の大きさによっては、吹出口１７から水平方向に空気を吹き出すことによって、循環気流が形成される（図１２参照）。循環気流は、吸込口１２からの空気の吸い込みをアシストすることができる。床上から吹出口１７の高さ位置までの空間が循環気流によって特にきれいな空間となり、塵埃等が堆積することをより効率的に防ぐことが可能となる。
【００７０】
ダニやホコリなどのアレルゲン物質は、足元の高さの範囲内（０〜３０ｃｍの範囲内）にほとんどが集まると言われている。それらの物質を床面に近い位置で確実に除去することで、ペットや幼児によりクリーンな雰囲気を提供可能となる。床上にて大人や子供が就寝する場合にも有効である。
【００７１】
本実施の形態の筺体１０は、円盤部１８ａの上面が、平坦な天面１８ｓを形成している。筺体１０は、上下方向において、中筒部１４を中心に対称形状を有している。また、筺体１０は、中心軸周りに回転対称の形状を有している。筺体１０は、天面１８ｓを下にして、上下反対で使用することも可能である。
【００７２】
たとえば、流体送り装置１を通常の姿勢で設置したときに、吹出口１７の高さ位置も吸込口１２の高さ位置も３０ｃｍ未満の高さ位置である場合に、流体送り装置１を上下反対の姿勢で配置する。上下をさかさまにしても、循環気流を作ることが可能である。この場合には、たとえば床に溜まっている埃を一旦巻き上げてから、吸込口１２を通して吸引するような循環気流になる。
【００７３】
［実施の形態１の変形例］
図１３を参照して、流体送り装置１は、上方向や、斜め上方向に空気を吹き出すように構成されていてもよい。吹き出す空気の流量が十分にあれば、空気は、コアンダ効果の作用によって、壁や天井に沿って流れることになる。部屋４０の全体を循環するような気流を形成することで、足元の高さの範囲内に限られず、部屋４０の全体をきれいな空間にすることが可能となる。
【００７４】
［実施の形態２］
図１４を参照して、浮遊体２５の表面は、多孔質構造（図１５）、繊維構造（図１６）または凹凸構造（図１７）を有していることが好ましい。浮遊体２５は、旋回時に遠心力を受けるため、旋回室２３を形成している部材（上筒部１５）の内表面の近傍を通過する。旋回室２３を形成している部材（上筒部１５）の内表面に浮遊体２５が摺接することで、浮遊体２５は、内表面に付着している付着物を内表面から除去することが可能となる。
【００７５】
図１５を参照して、多孔質構造とは、無数の隙間からなるスポンジ構造のことであり、内表面に付着している塵埃に浮遊体２５が接触した際に、無数の隙間が塵埃に対する吸着力を発揮することによって、付着物を内表面から除去することが可能となる。
【００７６】
図１６を参照して、繊維構造とは、細い線状の繊維が複数集合した構造のことであり、内表面に付着している塵埃に浮遊体２５が接触した際に、繊維同士の間の隙間が塵埃に対する吸着力を発揮することによって、付着物を内表面から除去することが可能となる。
【００７７】
図１７を参照して、凹凸構造とは、基体の表面に無数の突起が形成された構造のことであり、内表面に付着している塵埃に浮遊体２５が接触した際に、衝突の作用によって、付着物を内表面から除去することが可能となる。
【００７８】
図１５に示すように、浮遊体２５の外形は、立方体形状であってもよいし、直方体形状であってもよい。浮遊体２５が円形である場合に比べて、角部を有する浮遊体２５は、旋回室２３の内部２３ｓにおいてよりランダムな跳ね方をする。各種の外形形状を有する浮遊体２５を選択し、用途や目的に合わせて、浮遊体２５の旋回動作を適宜変更させるとよい。
【００７９】
比較的大きな塵埃は、遠心分離の作用により、旋回室２３の内部２３ｓで除去できる。比較的小さな塵埃は、吸着力を有する浮遊体２５が衝突することによって除去することが可能であり、遠心分離式の一般的な集塵装置や掃除機が不得意であった比較的小さな塵埃を、流体送り装置１は効果的に除去することが可能である。流体送り装置１によれば、遠心分離式の集塵装置または掃除機を、簡単な構成で実現することができると言える。
【００８０】
また、旋回室２３は、内部２３ｓで浮遊している浮遊体２５を旋回室２３の外部から視認可能なように透明性を有する部材（上筒部１５）から形成されている。当該構成によれば、浮遊体２５に塵埃が付着して交換時期が到来したことを、目視確認で容易に判断することが可能である。また、旋回室２３の内壁面も、汚れることが抑えられるため、旋回室２３の内部２３ｓで浮遊している浮遊体２５を、旋回室２３の外部から長期間にわたって視認（目視）することが可能となる。浮遊体２５の上下方向への移動（揺らぎの効果（図１１参照））によれば、旋回室２３の内壁面を広い範囲にわたってクリーニングすることも可能である。
【００８１】
［実施の形態２の変形例］
浮遊体２５には、塵埃の除去に限られず、さまざまな機能を付加することが可能である。たとえば、色の異なる複数の浮遊体２５を旋回室２３の中に配置するとよい。旋回室２３の内部２３ｓで旋回する複数の浮遊体２５は、カラーセラピー効果を発揮することも可能な場合がある。
【００８２】
浮遊体２５は、旋回時に音を発してもよい。たとえば、乳幼児に用いられる眠気を誘導する音（ホワイトノイズなど）を発生させることで、乳幼児の安眠効果が得られる場合がある。浮遊体２５は、揺らぎの効果（図１１参照）により、さざなみのような音を発生することも可能であり、眠りに誘うことができる場合もある。浮遊体２５は、発光や蓄光可能であってもよい。光の成分によって癒し効果を高めることも可能である。
【００８３】
浮遊体２５は、左右には正確なサインカーブで動きながら、上下にも概ねサインカーブで動く。このような浮遊体２５の旋回動作によれば、使用者に強い面白さを感受させることを期待できる。このような流体送り装置は、ＥＭＤＲ用治療器と類似の動きをするため、簡易型のＥＭＤＲ用治療器として使用できる。
【００８４】
浮遊体２５は、空気中の臭い成分を選択的に吸着する機能を有していてもよい。この場合、流体送り装置は脱臭機として機能することができる。浮遊体２５は、予め水分を保持していてもよく、あるいは空気中の水分を吸着して保持することが可能であってもよい。さらに、浮遊体２５は、保持した水分を脱着して空気中に放出することが可能であってもよい。この場合、流体送り装置は、水分の吸脱着を適宜行う除加湿の機能を有する、空気調和機として機能することができる。
【００８５】
浮遊体２５が旋回室２３の内部２３ｓを旋回したり上下揺動したりすることで、浮遊体２５と空気との間のヌセルト数、プランドル数などの物性値に影響を与えて水分の授受の速度を高めることができる。さまざまな機能を浮遊体２５に付与することで、色、香り、音、動き、などで五感に作用することが可能な流体送り装置を構成することが可能となる。
【００８６】
［実施の形態３］
図１８を参照して、流体送り装置１の中には、芳香手段３２が内蔵されている。本実施の形態の流体送り装置１は、アロマディフューザとして機能することができる。
【００８７】
浮遊体２５は、芳香成分を保持および適宜拡散する機能を有している。芳香成分を保持した浮遊体２５は、旋回室２３の内部２３ｓで旋回したり、旋回しつつ上下方向に揺動したりする。浮遊体２５のこの動作によって、比較的大量の芳香成分を比較的短時間で揮発させることができ、芳香成分拡散性能が高いアロマディフューザを簡単な構成で実現することができる。
【００８８】
［実施の形態３の比較例］
図１９を参照して、従来のアロマディフューザは、筺体１０の中に芳香成分を貯留している。芳香成分は、吹出口１７から噴霧水とともに吹き出される場合がある。アロマディフューザを適切な設置箇所に配置したり、噴霧量を適切な値に調節したりしないと、噴霧水はカビの発生の原因となり得る。使用方法に配慮が必要であり、適度なクリーニングも必要である。
【００８９】
これに対して、上述の実施の形態３におけるアロマディフューザ（図１８）は、芳香成分を旋回流に乗せて広く拡散させることが可能である。実施の形態１，２等で述べたとおり、お手入れなどのクリーニングにかかる負担も少なくて済む。
【００９０】
実施の形態３の構成は、上述の実施の形態２やその変形例で開示した構成と組み合わされてもよい。たとえば、使用時の気分や目的に応じた使い分けによって、使用者は色と香りの相乗効果（アロマセラピーやカラーセラピーの効果）を得ることも可能となる。
【００９１】
［実施の形態４］
図２０を参照して、実施の形態４における流体送り装置１Ａについて説明する。実施の形態４における流体送り装置１Ａと上述の実施の形態１〜３における流体送り装置とは、以下の点において相違している。
【００９２】
実施の形態４における流体送り装置１Ａは、筺体１０が、円柱形状を有している。下筒部１３、中筒部１４および上筒部１５の中に、内筒１６ｋが設けられている。下筒部１３の下端部１３ｔと、内筒１６ｋの下端部との間に、吸込口１２が形成される。吸込口１２は、内筒１６ｋの径方向の外側に位置している。吹出口１７は、内筒１６ｋの径方向の内側に形成されている。内筒１６ｋの内側であって、内筒１６ｋの高さ方向における下半分の範囲の中に、羽根車２１および駆動源２２が配置されている。
【００９３】
旋回流生成部２４は、中筒部１４と内筒１６ｋとの間の空間に設けられ、内筒１６ｋの外周を取り囲むように配置されている。旋回流生成部２４は、翼形状を有しており、その下流端は、筺体１０の中心軸方向に対しておおよそ垂直な向きを向いている。
【００９４】
中筒部１４と内筒１６ｋとの間の空間であって、旋回流生成部２４よりも上方に位置する部分に、旋回室２３が形成されている。中筒部１４と内筒１６ｋとの間の空間であって、旋回流生成部２４のすぐ上の部分が、旋回室２３の入口部２３ａを形成している。中筒部１４と内筒１６ｋとの間の空間であって、内筒１６ｋの上端の高さに位置する部分が、旋回室２３の出口部２３ｂに相当している。
【００９５】
旋回室２３の中に、浮遊体２５が配置されている。本実施の形態の旋回室２３も、内部２３ｓで浮遊している浮遊体２５を旋回室２３の外部から視認可能なように、透明性を有する部材（上筒部１５）から形成されている。旋回室２３の中の比較的上の方の位置に、集塵ケース２６が配置されている。
【００９６】
本実施の形態においても、流体送り装置１Ａを水平な表面３０上に載置した状態においては、旋回流生成部２４の高さ位置は、筺体１０の吸込口１２の高さ位置と同等かそれよりも上であり、かつ、旋回室２３の入口部２３ａの高さ位置は、旋回流生成部２４の高さ位置と同等かそれよりも上であればよい。本実施の形態においては、水平な表面３０に近い側から順に、吸込口１２および吹出口１７、羽根車２１、旋回流生成部２４、および旋回室２３が位置している。吸込口１２および吹出口１７は、同じ高さ位置である。
【００９７】
図２１を参照して、流体送り装置１Ａは、吸込口１２から筺体１０の内部へ空気を吸引するとともに、吸引した空気を吹出口１７から外部に吹き出すことができる。下筒部１３の下端部１３ｔは、鉛直方向における上方から下方に向かってまっすぐ下に延在しており、且つ、下筒部１３は、この下端部１３ｔの先端近傍に吸込口１２の開口部を形成している。吸込口１２の周囲に存在していた、吸込口１２から吸引される空気や塵埃は、吸引後直ちに、または吸引直前から、上方向の空気力を受けることとなる。空気や塵埃は、効率良く吸込口１２から下筒部１３の中へと吸引されることとなる。
【００９８】
下筒部１３の中に吸い込まれた空気は、上昇移動し、やがて旋回流生成部２４に到達する。旋回流生成部２４は、塵埃を含む空気をほぼ６０°方向転向させる。旋回流生成部２４を通過した流体は、旋回室２３の内部２３ｓで旋回流を形成する。旋回流の作用によって、旋回室２３の内部２３ｓにて、塵埃および空気は、互いに遠心分離される。空気と分離された塵埃は、集塵ケース２６の中に格納されていく。塵埃と分離された空気は、旋回室２３の出口部２３ｂ、内筒１６ｋの内側空間、羽根車２１、および筺体１０の吹出口１７をこの順に通過して外部に排出される。
【００９９】
流体送り装置１Ａの流量は、たとえば１１．８ｍ３／ｍｉｎである。流体送り装置１Ａの周辺約３畳空間（１１．７ｍ３）の範囲を、壁面のコアンダ効果を利用することによって、常に部屋全体の気流を循環させ、空間を動かすことができるので、塵埃等が堆積することを効果的に防ぐことが可能となる。トイレなどの狭い空間での適用が特に有効である。この場合には、主に壁面を風が通過しているため、使用者に風が届くことはほとんどなく、使用者が風による無駄な冷えや乾燥などを感じることも少ない。
【０１００】
旋回室２３は、透明性を有する部材（上筒部１５）から形成されている。内部２３ｓで浮遊している浮遊体２５を、旋回室２３の外部から視認（目視）することができる。したがって、流体送り装置１Ａであっても、上述の実施の形態１における流体送り装置１と同様の作用および効果を得ることができる。本実施の形態の流体送り装置１Ａで開示している思想は、実施の形態１〜３で開示した思想の一部と組み合わせて実施することも十分に可能である。
【０１０１】
［実施の形態５］
図２２を参照して、実施の形態５における流体送り装置１Ｂについて説明する。実施の形態４における流体送り装置１Ｂと上述の実施の形態４における流体送り装置１Ａ（図２０，図２１）とは、以下の点において相違している。
【０１０２】
実施の形態５における流体送り装置１Ｂは、内筒１６ｋの上方に、羽根車２１および駆動源２２が配置されている。吹出口１７は、筺体１０（上筒部１５）の上部に形成されている。
【０１０３】
中筒部１４と内筒１６ｋとの間の空間であって、旋回流生成部２４よりも上方に位置する部分に、旋回室２３が形成されている。中筒部１４と内筒１６ｋとの間の空間であって、旋回流生成部２４のすぐ上の部分が、旋回室２３の入口部２３ａを形成している。上筒部１５および中筒部１４の内側に形成されている空間であって、羽根車２１のすぐ下の部分が、旋回室２３の出口部２３ｂに相当している。
【０１０４】
本実施の形態においても、流体送り装置１Ｂを水平な表面３０上に載置した状態においては、旋回流生成部２４の高さ位置は、筺体１０の吸込口１２の高さ位置と同等かそれよりも上であり、かつ、旋回室２３の入口部２３ａの高さ位置は、旋回流生成部２４の高さ位置と同等かそれよりも上であればよい。本実施の形態においては、水平な表面３０に近い側から順に、吸込口１２、羽根車２１、旋回流生成部２４、旋回室２３、および吹出口１７が位置している。
【０１０５】
図２３を参照して、流体送り装置１Ｂは、吸込口１２から筺体１０の内部へ空気を吸引するとともに、吸引した空気を吹出口１７から外部に吹き出すことができる。下筒部１３の下端部１３ｔは、鉛直方向における上方から下方に向かってまっすぐ下に延在しており、且つ、下筒部１３は、この下端部１３ｔの先端近傍に吸込口１２の開口部を形成している。吸込口１２の周囲に存在していた、吸込口１２から吸引される空気や塵埃は、吸引後直ちに、または吸引直前から、上方向の空気力を受けることとなる。空気や塵埃は、効率良く吸込口１２から下筒部１３の中へと吸引されることとなる。
【０１０６】
下筒部１３の中に吸い込まれた空気は、上昇移動し、やがて旋回流生成部２４に到達する。旋回流生成部２４を通過した流体は、旋回室２３の内部２３ｓで旋回流を形成する。旋回流の作用によって、旋回室２３の内部２３ｓにて、塵埃および空気は、互いに遠心分離される。空気と分離された塵埃は、集塵ケース２６の中に格納されていく。塵埃と分離された空気は、旋回室２３の出口部２３ｂ、上筒部１５の内側空間、羽根車２１、および筺体１０の吹出口１７をこの順に通過して外部に排出される。
【０１０７】
旋回室２３は、透明性を有する部材（中筒部１４）から形成されている。内部２３ｓで浮遊している浮遊体２５を、旋回室２３の外部から視認（目視）することができる。したがって、流体送り装置１Ｂであっても、上述の実施の形態１における流体送り装置１と同様の作用および効果を得ることができる。本実施の形態の流体送り装置１Ｂで開示している思想は、実施の形態１〜４で開示した思想の一部と組み合わせて実施することも十分に可能である。
【０１０８】
［実施の形態５の変形例］
図２４を参照して、実施の形態５の変形例における流体送り装置１Ｃについて説明する。実施の形態５における流体送り装置１Ｃと上述の実施の形態５における流体送り装置１Ｂ（図２２，図２３）とは、以下の点において相違している。
【０１０９】
実施の形態５の変形例における流体送り装置１Ｃは、集塵ケース２６の外表面２６ｖは、集塵ケース２６が筺体１０に取り付けられている状態で、筺体１０の外表面と面一の関係となるように設けられていない。当該構成の場合、集塵ケース２６が筺体１０の外表面から突出するが、より大きな体積を有する集塵ケース２６を使用可能である。この思想は、実施の形態１〜４で開示した思想の一部と組み合わせて実施することも十分に可能である。
【０１１０】
［実施の形態６］
図２５を参照して、実施の形態６における流体送り装置１Ｄについて説明する。実施の形態６における流体送り装置１Ｄと上述の実施の形態５における流体送り装置１Ｂ（図２２，図２３）とは、以下の点において相違している。
【０１１１】
筺体１０は、全体としてドーム形状を有している。吸込口１２および旋回室２３は、内筒１６ｋの内側に形成されており、吹出口１７は、内筒１６ｋの外側に形成されている。流体送り装置１Ｄを水平な表面３０上に載置した状態においては、旋回流生成部２４の高さ位置は、筺体１０の吸込口１２の高さ位置と同等であり、かつ、旋回室２３の入口部２３ａの高さ位置は、旋回流生成部２４の高さ位置と同等である。
【０１１２】
換言すると、旋回流生成部２４が設けられている高さ位置において、筺体１０の吸込口１２（筺体１０の吸込口１２として機能する部分）と、旋回室２３の入口部２３ａ（旋回室２３の入口部２３ａとして機能する部分）とが形成されている。
【０１１３】
流体送り装置１Ｄは、吸込口１２から筺体１０の内部へ空気を吸引するとともに、吸引した空気を吹出口１７から外部に吹き出すことができる。下筒部１３の下端部１３ｔは、鉛直方向における上方から下方に向かってまっすぐ下に延在しており、且つ、下筒部１３は、この下端部１３ｔの先端近傍に吸込口１２の開口部を形成している。吸込口１２の周囲に存在していた、吸込口１２から吸引される空気や塵埃は、吸引後直ちに、または吸引直前から、上方向の空気力を受けることとなる。空気や塵埃は、効率良く吸込口１２から下筒部１３の中へと吸引されることとなる。
【０１１４】
下筒部１３の中に吸い込まれた空気は、上昇移動し、やがて旋回流生成部２４に到達する。旋回流生成部２４を通過した流体は、旋回室２３の内部２３ｓで旋回流を形成する。旋回流の作用によって、旋回室２３の内部２３ｓにて、塵埃および空気は、互いに遠心分離される。空気と分離された塵埃は、集塵ケース２６の中に格納されていく。塵埃と分離された空気は、旋回室２３の出口部２３ｂ、上筒部１５の内側空間、羽根車２１、内筒１６ｋの外側空間、および筺体１０の吹出口１７をこの順に通過して外部に排出される。
【０１１５】
旋回室２３は、透明性を有する部材（中筒部１４）から形成されている。内部２３ｓで浮遊している浮遊体２５を、旋回室２３の外部から視認（目視）することができる。したがって、流体送り装置１Ｄであっても、上述の実施の形態１における流体送り装置１と同様の作用および効果を得ることができる。本実施の形態の流体送り装置１Ｄで開示している思想は、実施の形態１〜５で開示した思想の一部と組み合わせて実施することも十分に可能である。
【０１１６】
［実施の形態６の変形例］
図２６に示すように、流体送り装置１Ｄは、全体としてドーム形状を有しているため、倒れにくく、玩具として用いられることも可能である。たとえば、浮遊体２５の旋回は、浮遊体２５が存在しない場合と比較して、ネコなどのペットの狩猟本能をそそり、興味を積極的にひくことができる。
【０１１７】
流体送り装置１Ｄは、ペットの興味をひく玩具としての機能と、遠心分離装置としての機能を有している。これらの機能の相乗効果として、流体送り装置１Ｄは、毛吸引機として機能することもできる。ネコや室内犬が毛吸引機にじゃれつくなど、ペットと毛吸引機との接触頻度を大幅に高めることで、ペットと毛吸引機との間の距離を大幅に短くすることができるため、ペットの抜け毛を効果的に吸引することが可能となる。
【０１１８】
［他の実施の形態］
上述の実施の形態４（図２０に示す流体送り装置１Ａ）および実施の形態６（図２５に示す流体送り装置１Ｄ）では、吸込口１２および吹出口１７が略同一高さに位置している。このような構成が採用される場合には、吸込口１２および吹出口１７は、略全周（３６０°）に亘って開口していなくても構わない。たとえば、吸込口１２および吹出口１７を、同一平面上であって、かつ同一円周上に交互に配置するとよい。
【０１１９】
上述の各実施の形態で開示した浮遊体２５は、扇風機などの羽根車付近に投入して旋回させてもよい。羽根部に塵埃が付着している場合、旋回体が羽根部に接触することによって、羽根部に付着した塵埃を除去することも可能である。
【０１２０】
旋回室２３の中では、塵埃の他に、花粉、害虫などを遠心分離し、粘着性の物質等に付着させてもよい。遠心分離される塵埃を、帯電や除電を利用して予め重くして、遠心分離しやすくしてから遠心分離させ、その後、集塵ケース２６の中に集められてもよい。旋回室２３の中には、圧縮機構が設けられていてもよい。お手入れの回数をより減らすことが可能である。また、流体送り装置は、車輪などを設けることによって自走してもよい。流体送り装置１は、埃を検知するセンサやカメラなどを備えて、それに応じて作動してもよい。
【０１２１】
以上、実施の形態について説明したが、上記の開示内容はすべての点で例示であって制限的なものではない。本発明の技術的範囲は特許請求の範囲によって示され、特許請求の範囲と均等の意味および範囲内でのすべての変更が含まれることが意図される。
【符号の説明】
【０１２２】
１，１Ａ，１Ｂ，１Ｃ，１Ｄ  流体送り装置、１ｓ，１１ｓ  置面、１０  筺体、１１  底部、１１ａ，１８ａ  円盤部、１１ｂ，１１ｃ，１８ｃ  筒状壁、１２  吸込口、１３  筒部、１３ｒ，１６ｒ  リブ、１３ｔ  下端部、１４  中筒部、１５  上筒部、１６  構成体、１６ａ  外周部、１６ｂ，１８ｂ  収容部、１６ｃ  底板部、１６ｄ  底窓部、１６ｋ  内筒、１６ｔ  上端部、１７  吹出口、１８  頭部、１８ｓ  天面、２１  羽根車、２２  駆動源、２３  旋回室、２３ａ  入口部、２３ｂ  出口部、２３ｓ  内部、２４  旋回流生成部、２５  浮遊体、２６  集塵ケース、２６ｓ，２７ｓ  開口部、２６ｔ  集塵室、２６ｕ  切欠部、２６ｖ，２７ｖ  外表面、２７  回収ケース、２７ｔ  回収室、３０  表面、３２  芳香手段、４０  部屋。
【図１】
0006545107.tif 000002
【図２】
0006545107.tif 000003
【図３】
0006545107.tif 000004
【図４】
0006545107.tif 000005
【図５】
0006545107.tif 000006
【図６】
0006545107.tif 000007
【図７】
0006545107.tif 000008
【図８】
0006545107.tif 000009
【図９】
0006545107.tif 000010
【図１０】
0006545107.tif 000011
【図１１】
0006545107.tif 000012
【図１２】
0006545107.tif 000013
【図１３】
0006545107.tif 000014
【図１４】
0006545107.tif 000015
【図１５】
0006545107.tif 000016
【図１６】
0006545107.tif 000017
【図１７】
0006545107.tif 000018
【図１８】
0006545107.tif 000019
【図１９】
0006545107.tif 000020
【図２０】
0006545107.tif 000021
【図２１】
0006545107.tif 000022
【図２２】
0006545107.tif 000023
【図２３】
0006545107.tif 000024
【図２４】
0006545107.tif 000025
【図２５】
0006545107.tif 000026
【図２６】
0006545107.tif 000027